(57)【要約】【課題】インターネット等の通信ネットワークを通じて、出資者に対し取材予定のコンテンツを提示し、オークション方式によりコンテンツ投稿者向けの出資金等を募る。【解決手段】インターネット５を通じて、コンテンツを制作するプラットフォームシステムであって、制作すべきコンテンツの企画に関する情報を案件情報として、制作希望者が所有する制作者用端末２に対して提示して、任意の案件情報を制作希望者に選択させて、選択した案件情報に対する制作条件を、制作希望者に関する情報とともに制作側情報として、出資希望者に対して提示して出資者側から出資条件を取得し、全出資条件を集計し、その集計結果と制作条件との一致度を判定して、出資条件と集計結果とが一致した時点で、完成されたコンテンツを、インターネット５を通じて公開する。【選択図】  図１
2015032197.tif 000002
【特許請求の範囲】
【請求項１】
通信ネットワークを通じて、コンテンツを制作するプラットフォームシステムであって、
制作すべきコンテンツの企画に関する情報を案件情報として、制作希望者に対して提示する案件提示部と、
前記制作希望者に関する情報の入力を受け付けるとともに、任意の案件情報を前記制作希望者に選択させ、選択した案件情報に対する制作条件を入力させ、入力された情報を蓄積する制作希望者公募部と、
前記制作条件を、前記制作希望者に関する情報とともに制作側情報として前記通信ネットワークを通じて、出資希望者に対して提示する制作側情報提示部と、
任意の制作側情報を、前記出資希望者に選択させ、選択された制作希望者に対する出資条件を入力させる入札受付部と、
前記入札受付部により取得された出資条件を集計し、その集計結果と前記制作条件との一致度を判定するとともに、前記出資条件と前記集計結果とが一致した時点で、前記入札受付部による前記出資条件の入力を終了させる判定部と、
前記判定部により一致が認められた案件について、完成されたコンテンツを取得するとともに、一定の期間経過後に、前記完成されたコンテンツを、前記通信ネットワークを通じて公開する公開管理部と
を有することを特徴とするコンテンツ制作プラットフォームシステム。
【請求項２】
前記完成されたコンテンツを掲載希望者に対して提示するとともに、当該完成されたコンテンツに対する評価を前記掲載希望者から取得し、最も高い評価をした掲載希望者を決定する掲載媒体決定部をさらに備え、
前記掲載媒体決定部による決定は、前記公開管理部による前記公開が実行される前に行われる
ことを特徴とする請求項１に記載のコンテンツ制作プラットフォームシステム。
【請求項３】
前記判定部により一致が認められた案件について、完成されたコンテンツを取得するとともに、この完成されたコンテンツの内容をチェックし、チェック結果に応じて、当該コンテンツを加工又は修正し、前記公開管理部又は掲載媒体決定部に送出する高閲部をさらに有することを特徴とする請求項２に記載のコンテンツ制作プラットフォームシステム。
【請求項４】
通信ネットワーク上にアクセス可能に設置され、前記通信ネットワークを通じてコンテンツを制作するプラットフォームの制御方法であって、
前記プラットフォーム上に設置された案件提示部において、前記通信ネットワークを通じて、制作すべきコンテンツの企画に関する情報を、案件情報として制作希望者に対して提示する案件提示ステップと、
前記プラットフォーム上に設置された制作希望者公募部において、前記通信ネットワークを通じて、前記制作希望者に関する情報の入力を受け付けるとともに、任意の案件情報を前記制作希望者に選択させ、選択した案件情報に対する制作条件を入力させ、入力された情報を、案件データベースに蓄積する制作希望者公募ステップと、
前記プラットフォーム上に設置された制作側情報提示部において、前記制作条件を、前記制作希望者に関する情報とともに制作側情報として前記通信ネットワークを通じて、出資希望者に対して提示する制作側情報提示ステップと、
前記プラットフォーム上に設置された入札受付部において、任意の制作側情報を、前記出資希望者に選択させ、選択された制作希望者に対する出資条件を入力させる入札受付ステップと、
前記入札受付部により取得された出資条件を集計し、その集計結果と前記制作条件との一致度を判定するとともに、前記出資条件と前記集計結果とが一致した時点で、前記入札受付部による前記出資条件の入力を終了させる判定ステップと、
前記判定部により一致が認められた案件について、完成されたコンテンツを取得するとともに、一定の期間経過後に、前記完成されたコンテンツを、前記通信ネットワークを通じて公開する公開管理ステップと
を有することを特徴とするコンテンツ制作プラットフォームの制御方法。
【請求項５】
前記プラットフォーム上において、前記完成されたコンテンツを掲載希望者に対して提示する完成コンテンツ提示ステップと、
前記完成されたコンテンツに対する評価を前記掲載希望者から取得し、前記公開管理ステップによる前記公開が実行される前に、最も高い評価をした掲載希望者を決定する掲載媒体決定ステップと
をさらに有することを特徴とする請求項４に記載のコンテンツ制作プラットフォームの制御方法。
【請求項６】
前記判定ステップで一致が認められた案件について、完成されたコンテンツを取得するとともに、この完成されたコンテンツの内容をチェックし、チェック結果に応じて、当該コンテンツを加工又は修正し、前記公開管理部又は掲載媒体決定部に送出する高閲ステップをさらに有することを特徴とする請求項５に記載のコンテンツ制作プラットフォームの制御方法。
【発明の詳細な説明】
【技術分野】
【０００１】
本発明は、インターネット等の通信ネットワークを介して、コンテンツの制作を希望する制作希望者に対して出資希望者を募り、制作希望者を支援するコンテンツ制作プラットフォームシステム及びプラットフォームの制御方法に関する。
【背景技術】
【０００２】
コンピュータを中心とする各種情報機器と通信ネットワークの進展に伴い、各種のディジタル情報がコンテンツとしてネットワークを介して流通するようになっている。そして、視聴者は各種のコンテンツを、通信ネットワークを通じて取得し、電子Ｗｅｂブラウザや所定のアプリケーションにより、電子装置に表示させることで閲覧可能となっている（例えば、特許文献１）。この特許文献１に開示された技術は、新聞社から提供される政治情報、経済情報、企業情報の他、芸能、スポーツに関する情報など新聞記事情報をコンテンツとして、インターネットを介して、情報処理端末の画面上に表示可能となっている。
【０００３】
ところで、このようなインターネットを通じて流通されるコンテンツは、制作者の知的創作活動の成果である。例えば、特許文献１のように、提供されるコンテンツが記事である場合には、記者が取材や調査を行い、その後、記事情報の内容を画像や映像を含めたり、設定された文字数内となるように編集したりすることで制作されるため、記者は、その成果に応じた対価を得る必要がある。
【先行技術文献】
【特許文献】
【０００４】
【特許文献１】特開２００４−１７８３７０号公報
【発明の概要】
【発明が解決しようとする課題】
【０００５】
しかしながら、特許文献１に開示されたような新聞社独自のＷｅｂサイト上に記事を掲載させる場合、例えば、フリーランスのようなコンテンツ制作者は、コンテンツが制作された後にその対価が支払われ、また、コンテンツに対しての単価は低く設定され易い問題があるため、記者は十分な報酬を得ることができず、コンテンツを制作することが困難であるという問題がある。
【０００６】
そこで、本発明は、上記のような問題を解決するものであり、コンテンツを制作する制作者を支援するコンテンツ制作プラットフォームシステム及びプラットフォームの制御方法を提供することを目的とする。
【課題を解決するための手段】
【０００７】
上記課題を解決するために、本発明は、通信ネットワークを通じて、コンテンツを制作するプラットフォームシステムであって、制作すべきコンテンツの企画に関する情報を案件情報として、制作希望者に対して提示する案件提示部と、制作希望者に関する情報の入力を受け付けるとともに、任意の案件情報を制作希望者に選択させ、選択した案件情報に対する制作条件を入力させ、入力された情報を蓄積する制作希望者公募部と、制作条件を、制作希望者に関する情報とともに制作側情報として通信ネットワークを通じて、出資希望者に対して提示する制作側情報提示部と、任意の制作側情報を、出資希望者に選択させ、選択された制作希望者に対する出資条件を入力させる入札受付部と、出資情報取得部により取得された出資条件を集計し、その集計結果と制作条件との一致度を判定するとともに、出資条件と集計結果とが一致した時点で、入札受付部による出資条件の入力を終了させる判定部と、判定部により一致が認められた案件について、完成されたコンテンツを取得するとともに、一定の期間経過後に、完成されたコンテンツを、通信ネットワークを通じて公開する公開管理部とを有する。
【０００８】
また、他の発明は、通信ネットワーク上にアクセス可能に設置され、通信ネットワークを通じてコンテンツを制作するプラットフォームの制御方法であって、
（１）プラットフォーム上に設置された案件提示部において、通信ネットワークを通じて、制作すべきコンテンツの企画に関する情報を、案件情報として制作希望者に対して提示する案件提示ステップと、
（２）プラットフォーム上に設置された制作希望者公募部において、通信ネットワークを通じて、制作希望者に関する情報の入力を受け付けるとともに、任意の案件情報を制作希望者に選択させ、選択した案件情報に対する制作条件を入力させ、入力された情報を、案件データベースに蓄積する制作希望者公募ステップと、
（３）プラットフォーム上に設置された制作側情報提示部において、制作条件を、制作希望者に関する情報とともに制作側情報として通信ネットワークを通じて、出資希望者に対して提示する制作側情報提示ステップと、
（４）プラットフォーム上に設置された入札受付部において、任意の制作側情報を、出資希望者に選択させ、選択された制作希望者に対する出資条件を入力させる入札受付ステップと、
（５）出資情報取得部により取得された出資条件を集計し、その集計結果と制作条件との一致度を判定するとともに、出資条件と集計結果とが一致した時点で、入札受付部による出資条件の入力を終了させる判定ステップと、
（６）判定部により一致が認められた案件について、完成されたコンテンツを取得するとともに、一定の期間経過後に、完成されたコンテンツを、通信ネットワークを通じて公開する公開管理ステップと
を有する。
【０００９】
ここで、「案件情報」とは、制作すべきコンテンツの企画に関する情報であり、例えば、制作されるコンテンツの種類、概要、制作期間、制約事項（文字数、時間など）が含まれる。また、「制作希望者に関する情報」とは、制作希望者を特定する情報であって、例えば、制作者の氏名、経歴、顔写真などが含まれる。「制作条件」とは、コンテンツを制作にするために必要な資金であり、目標集金額である。また、「出資条件」とは、出資者が制作者に対して出資する出資金額である。
【００１０】
これらのような本発明によれば、コンテンツの制作を希望する制作希望者を公募するとともに、その制作希望者が制作するコンテンツに対し、出資希望者を募っているので、コンテンツを制作したい側とコンテンツを視聴したい側との間を仲介することができる。
【００１１】
この際、本発明では、制作希望者に対して、案件情報に対する制作条件を入力させるとともに、出資希望者から入力された出資条件の集計結果と制作条件との一致度を判定した場合に出資条件の入力を終了させる、すなわち落札したと判断するようになっているので、制作希望者にとっては、コンテンツを制作するための十分な費用を得るとともに、コンテンツに対する対価を得ることができため、コンテンツを制作する制作者を支援することができる。
【００１２】
上記発明において、完成されたコンテンツを掲載希望者に対して提示するとともに、当該完成されたコンテンツに対する評価を掲載希望者から取得し、最も高い評価をした掲載希望者を決定する掲載媒体決定部をさらに備え、掲載媒体決定部による決定は、公開管理部による公開が実行される前に行われることが好ましい。
【００１３】
ここで、「掲載希望者」とは、例えば、所定の媒体で不特定多数に対して報道する機関であり、新聞社・放送局・出版社・通信社等が挙げられる。この場合には、完成されたコンテンツを掲載希望者に提示し、最も高い評価をした掲載希望者に掲載させることを決定しているので、制作希望者にとっては、制作したコンテンツの評価を受けて、例えば、そのコンテンツを買い取らせることでき、制作希望者にとってはさらにコンテンツに対しての対価を得ることができる。また、掲載媒体決定部による決定は、公開管理部による公開が実行される前に行われるので、掲載希望者にとっては、価値のあるコンテンツを先行及び独占して掲載することができる。
【００１４】
上記発明において、判定部により一致が認められた案件について、完成されたコンテンツを取得するとともに、この完成されたコンテンツの内容をチェックし、チェック結果に応じて、当該コンテンツを加工又は修正し、公開管理部又は掲載媒体決定部に送出する高閲部をさらに有することが好ましい。
【００１５】
ここで、「コンテンツの内容のチェック」とは、字句や内容、体裁等の誤りを調べることの他、コンテンツ種類に応じたチェックが行われる。例えば、コンテンツを新聞や雑誌等に掲載される記事とした場合には、（１）関係者の一方のみからの内容でなく、中立的な内容となっているか否か、（２）制作希望者自身が裏取りをした客観的事実となっているか否か、（３）事実と意見とを明確に分離して、その案件のテーマとターゲットの事実のみを記載しているか否か、（５）公序良俗に違反していないか、（６）他の著作物を利用していないか否かなどが含まれる。
【００１６】
この場合には、完成されたコンテンツの内容をチェックし、チェック結果に応じて、当該コンテンツを加工又は修正しているので、コンテンツとして不適切な表現などを排除させることができ、安全にコンテンツを視聴させることができる。
【発明の効果】
【００１７】
本発明によれば、インターネット等の通信ネットワークを通じて、コンテンツを制作したい側とコンテンツを視聴したい側との間を仲介して、制作希望者にとってはコンテンツを制作するための十分な費用、及び制作されるコンテンツに対しての対価を得ることができるため、コンテンツの制作を希望する者を支援することができる。
【図面の簡単な説明】
【００１８】
【図１】実施形態に係る実施形態に係るコンテンツ制作プラットフォームシステムの概念を示す説明図である。
【図２】実施形態に係るコンテンツ制作プラットフォームシステムの全体構成を示す概略図である。
【図３】実施形態に係る制作者用及び出資者用の情報端末の内部構造を示すブロック図である。
【図４】実施形態に係る管理サーバーの内部構造を示すブロック図である。
【図５】実施形態に係るプラットフォームの制御方法の概要を示す説明図である。
【図６】実施形態に係る入札対象となる制作者を決定する動作を示すフローチャート図である。
【図７】実施形態に係るオークション処理の動作を示すフローチャート図である。
【図８】実施形態に係る落札された記事の公開動作を示すフローチャート図である。
【図９】実施形態に係る制作者募集時におけるＷｅｂサイトの画面の構成を示す説明図である。
【図１０】実施形態に係るオークション時におけるＷｅｂサイトの画面の構成を示す説明図である。
【図１１】実施形態に係る報道機関募集時におけるＷｅｂサイトの画面の構成を示す説明図である。
【発明を実施するための形態】
【００１９】
（コンテンツ制作プラットフォームシステムの構成）
以下に添付図面を参照して、本発明に係るコンテンツ制作プラットフォームシステムの実施形態を詳細に説明する。図１は、本実施形態に係るシステムの概念を示す説明図であり、図２は、本実施形態に係るコンテンツ制作プラットフォームシステムの全体構成を示す概略図である。
【００２０】
本実施形態では、図１に示すように、所定のテーマに関するコンテンツの制作を案件として案件企画者が企画し、その案件に対して制作希望する制作者（記者）を公募するとともに、当該記事の閲覧を希望する複数の出資者（閲覧者）からの入札に基づいて決定された制作者が制作した記事を、落札した出資者又は他の媒体に掲載を希望する掲載希望者（報道機関）に提供する場合を例に説明する。なお、本実施形態において、「コンテンツ」とは、文字、又は画像、若しくはこれらの組み合わせて構成されるディジタル化した記事であるものとする。
【００２１】
本発明に係るコンテンツ制作プラットフォームシステムは、インターネット５を通じて、コンテンツの制作を支援するシステムであって、図２に示すように、記事を制作する制作者が使用する複数の制作者用端末２（２ａ〜２ｎ）と、出資者が使用する複数の出資者用端末３（３ａ〜３ｎ）と、本サービスを運営するシステム管理者が所有する管理サーバー１と、前記制作者が制作した記事を所定の媒体に掲載する報道機関が所有する複数の報道機関サーバー４（４ａ〜４ｎ）とから概略構成される。
【００２２】
制作者は、管理サーバー１に対して会員登録を行い、記事を制作するユーザーである。出資者は、管理サーバー１に対して会員登録を行い、記事の閲覧を希望し、その記事を購入するユーザーである。報道機関とは、所定の媒体で大衆に対して報道する会社を意味しており、新聞社・放送局・出版社・通信社等が挙げられる。
【００２３】
インターネット５は、通信プロトコルＴＣＰ／ＩＰを用いて種々の通信回線（電話回線やＩＳＤＮ回線、ＡＤＳＬ回線、光回線などの公衆回線、専用回線、無線通信網）を相互に接続して構築される分散型のＩＰ網であり、このＩＰ網には、１０ＢＡＳＥ−Ｔや１００ＢＡＳＥ−ＴＸ等によるイントラネット（企業内ネットワーク）や家庭内ネットワークなどのＬＡＮなども含まれる。
【００２４】
制作者用端末２及び出資者用端末３は、ＣＰＵを備えた演算処理装置であり、通信機能によりインターネット５等の通信ネットワークに接続可能となっており、ブラウザソフトなどにより、表示情報を受信して表示するとともに、ユーザーの操作信号を送信する機能を備えている。この情報端末としては、パーソナルコンピュータ等の汎用コンピュータや、機能を特化させた専用装置により実現することができ、モバイルコンピュータやＰＤＡ（Ｐｅｒｓｏｎａｌ  Ｄｉｇｉｔａｌ  Ａｓｓｉｓｔａｎｃｅ）、携帯電話機が含まれる。
【００２５】
上記ブラウザソフトは、Ｗｅｂページを閲覧するためのアプリケーションソフトであり、インターネット５からＨＴＭＬ（ＨｙｐｅｒＴｅｘｔ  Ｍａｒｋｕｐ  Ｌａｎｇｕａｇｅ）ファイルや画像ファイル、音楽ファイルなどをダウンロードし、レイアウトを解析して表示・再生するとともに、フォームを使用してユーザーがデータ（操作信号や入力データ）を管理サーバー１のＷｅｂサーバーに送信したり、ＪａｖａＳｃｒｉｐｔ（登録商標）やＦｌａｓｈ、及びＪａｖａ（登録商標）などで記述されたアプリケーションソフトを動作させたりすることも可能である。
【００２６】
報道機関サーバー４は、新聞社・放送局・出版社・通信社などの各種媒体で報道を行う会社が所有するサーバー装置であり、情報処理端末が接続されている。情報処理端末は、ＣＰＵ等の演算処理機能を有するとともに、通信機能によりインターネット５等の通信ネットワークに接続可能となっており、ブラウザソフトなどにより、表示情報を受信して表示するとともに、ユーザーの操作信号を送信する機能を備えている。この情報端末としては、パーソナルコンピュータ等の汎用コンピュータや、機能を特化させた専用装置により実現することができ、モバイルコンピュータやＰＤＡ（Ｐｅｒｓｏｎａｌ  Ｄｉｇｉｔａｌ  Ａｓｓｉｓｔａｎｃｅ）、携帯電話機が含まれる。
【００２７】
管理サーバー１は、インターネット５上に開設されたＷｅｂサイトを通じて、コンテンツを制作希望する制作希望者を公募するとともに、コンテンツの閲覧を希望する出資者から記事制作のための出資を促すシステムであって、単一のサーバー装置、又は複数の機能を分散させたサーバー群で実現可能となっている。さらに、この管理サーバー１にはＷｅｂサーバーが含まれ、このＷｅｂサーバーにより、制作者用端末２及び出資者用端末３に対する制御インターフェースを統合したポータルサイトが提供される。なお、このＷｅｂサーバーは、ＷＷＷ（Ｗｏｒｌｄ  Ｗｉｄｅ  Ｗｅｂ）等のドキュメントシステムにおいて、ＨＴＭＬ（ＨｙｐｅｒＴｅｘｔ  Ｍａｒｋｕｐ  Ｌａｎｇｕａｇｅ）ファイルや画像ファイル、音楽ファイルなどの情報送信を行うサーバーコンピュータ或いはその機能を持ったソフトウェアで実現され、ＨＴＭＬ文書や画像などの情報を蓄積しておき、サーバー装置上で実行されるＷｅｂブラウザなどのアプリケーションの要求に応じて、コンテンツ（Ｗｅｂページ）の配信を行う。
【００２８】
また、管理サーバー１には、制作されたコンテンツを、例えば動画形式で配信するコンテンツ配信サーバーの機能を備えている。また、この管理サーバー１には、管理サーバー１を利用した利用者及び開発者に対して決済を行う決済サーバー６がインターネット５を介して接続されている。この決済サーバー６は、出資者が入札時に入力した入札額、制作者に対して集められた集金額、及び報道機関がコンテンツの掲載に対して支払われた購入額などについての決済処理を行うサーバー装置である。
【００２９】
（各装置の内部構成）
次いで、上述した本システムを構成する各装置の内部構造について説明する。図３は、本実施形態に係る制作者用端末２及び出資者用端末３の内部構成を示すブロック図であり、図４は、本実施形態に係る管理サーバー１の内部構成を示すブロック図である。なお、説明中で用いられる「モジュール」とは、装置や機器等のハードウェア、或いはその機能を持ったソフトウェア、又はこれらの組み合わせなどによって構成され、所定の動作を達成するための機能単位を示す。
【００３０】
（１）制作者用端末２及び出資者用端末３
制作者用端末２及び出資者用端末３には、ユーザーインターフェース系のモジュールとして入力インターフェース２４と、出力インターフェース２３とを備えている。入力インターフェース２４は、操作ボタンやタッチパネルなどユーザー操作を入力するデバイスである。
【００３１】
出力インターフェース２３は、ディスプレイやスピーカーなど、映像や音響を出力するデバイスである。特に、この出力インターフェース２３には、液晶ディスプレイなどの表示部２３ａが含まれており、アプリケーション実行部２２により、図９〜図１１に示すような共同購入するための画面や、購入されたコンテンツの内容等がこの表示部２３ａに表示する。
【００３２】
アプリケーション実行部２２は、一般のＯＳやブラウザソフト、メディア視聴アプリケーションなどのアプリケーションを実行するモジュールであり、通常はＣＰＵ等により実現される。そして、このアプリケーション実行部２２は、Ｗｅｂページを閲覧するためのアプリケーションソフトであるブラウザ部２２ａを備えている。
【００３３】
ブラウザ部２２ａは、ブラウザソフトを実行することによって構築され、Ｗｅｂページを閲覧するためのモジュールであり、ポータルサイトにアクセスして、インターネット５からＨＴＭＬ（ＨｙｐｅｒＴｅｘｔ  Ｍａｒｋｕｐ  Ｌａｎｇｕａｇｅ）ファイルや画像ファイルなどをダウンロードし、レイアウトを解析して表示・再生する。このブラウザ部２２ａによって、管理サーバー１から配信されたＷｅｂページを表示させたり、Ｗｅｂページ上におけるクリックなどで遠隔操作を指示させることも可能である。また、ブラウザ部２２ａは、フォームを使用してユーザーがデータをＷｅｂサーバーに送信したり、ＪａｖａＳｃｒｉｐｔ（登録商標）やＦｌａｓｈ、及びＪａｖｅ（登録商標）などで記述されたアプリケーションソフトを動作させたりすることも可能である。
【００３４】
また、制作者用端末２には通信インターフェース２１を備えている。通信インターフェース２１は、データ通信を行うための通信インターフェースであり、無線等による非接触通信や、ケーブル，アダプタ手段等により接触（有線）通信をする機能を備えている。
【００３５】
（２）管理サーバー
管理サーバー１には、コンテンツ制作プラットフォームの機能モジュールとして、各種データを蓄積する記憶部１２と、各部の動作を制御する制御部１０と、通信部１３とを備えている。
【００３６】
記憶部１２には、制作者情報データベース１２１と、出資者情報データベース１２２と、コンテンツデータベース１２３と、案件情報データベース１２４と、報道機関情報データベース１２５とを備えている。制作者情報データベース１２１は、制作者に関する情報を蓄積するデータベースであり、表１に示すように、制作者を識別する「制作者識別子」に、「ペンネーム」、「氏名」、「所属」、例えば、コメンテータ、評論家、週刊誌ライターなど制作者の属性を示す「属性」、「住所」、「電話番号」、「メールアドレス」、制作者が開設しているホームページのアドレスである「ホームページ」、外部で制作したコンテンツ情報を示す「主な外部過去実績」、本システムで制作したコンテンツを識別する「コンテンツ識別子」、出資者が制作者を評価した情報（例えば、５段階評価）である「出資者評価値」、「出資者コメント」、掲載された媒体を閲覧した一般読者が制作者を評価した情報である「一般読者評価値」、及び「一般読者コメント」などの情報が関連付けて記憶されている。
【表１】
2015032197.tif 000003
【００３７】
出資者情報データベース１２２には、出資者に関する情報を蓄積するデータベースであり、表２に示すように、出資者を識別する「出資者識別子」に、出資者の「氏名」、「住所」、「電話番号」、「メールアドレス」、銀行口座やクレジット情報等の「決済情報」、過去に購入を行ったコンテンツの「コンテンツ識別子」、各ユーザーの決済状況を示す「決済ステータス」、決済状況が遷移した日時を示す「決済ステータス遷移日」、及び案件情報を識別する「案件識別子」が関連付けて記憶されている。
【表２】
2015032197.tif 000004
【００３８】
報道機関情報データベース１２５は、報道機関に関する情報を蓄積するデータベースであり、表３に示すように、報道機関を識別する「報道機関識別子」に、「会社名」、「部署名」、「担当者名」、「住所」、「電話番号」、「メールアドレス」、「Ｗｅｂサイト」、本コンテンツを掲載する予定の媒体情報である「掲載予定媒体名」、掲載される予定の日時を示す「掲載予定日」、「決済情報」、コンテンツの掲載状況を示す「掲載ステータス」、及びその掲載状況が変化した時間情報を示す「掲載ステータス遷移日」などが蓄積されている。
【表３】
2015032197.tif 000005
コンテンツデータベース１２３は、制作されたコンテンツをディジタル情報として蓄積する記憶装置であり、コンテンツを識別する「コンテンツ識別子」に、制作されたコンテンツ（電子テキスト、画像、動画）がタグ付けされて蓄積されている。
【００３９】
案件情報データベース１２４は、案件情報を蓄積するテーブルデータであり、表４に示すように、企画されたコンテンツを識別する「案件識別子」に、制作されるコンテンツの「分類」、「案件概要テキスト」、「制作制限」、「文字数」、「写真の有無」、「その他条件」、当該コンテンツに対して制作希望した制作者を識別する「制作者識別子１」〜「制作者識別子５」、案件の状況を示す「案件ステータス」、及び案件の状況が変化した時間情報を示す「ステータス遷移日」が関連付けて記憶されている。また、このテーブルデータは、階層構造をなしており、その下層において制作者別のテーブルを有し、表５に示すように、「制作者識別子」に、案件情報に対する「制作条件」、当該制作者に出資した出資者の「出資者識別子」、出資者から入力された「出資条件」、入札時刻を示す「申出時刻」が関連付けられている。なお、「制作条件」とは、コンテンツを制作にするために必要な資金であり、制作希望者が設定する目標集計額である。また、「出資条件」とは、出資者が制作者に対して支払う出資金額である。
【表４】
2015032197.tif 000006
【表５】
2015032197.tif 000007
【００４０】
なお、これらの各データベース及び記憶部には、リレーションシップが張られて、同期により、情報の共有が可能となっている。
【００４１】
制御部１０は、ＣＰＵやＤＳＰ（Ｄｉｇｉｔａｌ  Ｓｉｇｎａｌ  Ｐｒｏｃｅｓｓｏｒ）等のプロセッサ、メモリ、及びその他の電子回路等のハードウェア、或いはその機能を持ったプログラム等のソフトウェア、又はこれらの組み合わせなどによって構成された演算モジュールであり、Ｗｅｂサイトを運用するためのコンテンツ制作プラットフォームプログラムを適宜読み込んで実行することにより種々の機能モジュールを仮想的に構築し、構築された各機能モジュールによって、各部の動作制御、ユーザー操作に対する種々の処理を行っている。
【００４２】
さらに、この制御部１０には、先ず、本サービスの登録及び申込に関するモジュール群として、会員登録部１０２と、認証部１０１とを備えている。
【００４３】
会員登録部１０２は、本システムを受けるための会員登録を受け付けるモジュールであり、通信部１３を通じてＷｅｂサイト上で入力された制作者、出資者、及び報道機関の各情報を受け付け、各情報に制作者、出資者、及び報道機関を識別する識別子を付加して各種データベースに蓄積する。
【００４４】
認証部１０１は、インターネット５を介して取得された制作者識別子、出資者識別子、又は報道機関識別子に基づいて、認証処理を実行するモジュールであり、取得した識別子に応じて、制作者情報データベース１２１、出資者情報データベース１２２、又は報道機関情報データベース１２５を照合することによって、アクセス者にその権利があるか否か、そのアクセス者が本人であるか否かなどを確認する。なお、本実施形態において、認証部１０１は、利用時毎にＩＤ及びパスワードの入力を求めてもよいし、使用者の承諾がある場合には、端末情報のみで承認するようにしてもよい。また、認証部１０１は、ユーザー認証に基づいて、アクセスするユーザーがいずれの種別に属する者であるかを特定する機能も備えている。この種別とは、制作者、出資者、報道機関に分類されてる。
【００４５】
また、制御部１０は、制作希望者の公募に関するモジュール群として、案件提示部１１０と、制作希望者公募部１１１とを備えている。
【００４６】
案件提示部１１０は、制作すべきコンテンツの企画に関する情報を案件情報として、制作希望者が所有する制作者用端末２に対して提示するモジュールである。具体的に案件提示部１１０は、制作すべきコンテンツの企画を決定した後、その案件についての、記事の概要、掲載文字数、制作期間などの案件情報を、案件識別子に関連付けて、案件情報データベース１２４に蓄積する。そして、案件提示部１１０は、通信部１３を介してＷｅｂサイト上にこれらの案件情報を表示させる。このＷｅｂサイト上には、図９に示すように、画面の所定枠内２３１に、案件情報として、記事の概要及び内容、文字数、制作期間、掲載写真の要否などの案件情報２３３、及び関連する画像２３２が表示される。なお、この案件の企画は、出資者から募集をかけるようになっており、この際には、例えば、Ｗｅｂサイト上に案件企画の入力を受け付ける入力欄を設けて募集する。
【００４７】
制作希望者公募部１１１は、制作希望者に関する情報の入力を受け付けるとともに、任意の案件情報を制作希望者に選択させ、選択した案件情報に対する制作条件を入力させ、入力された情報を蓄積するモジュールである。ここで、「制作希望者に関する情報」とは、制作希望者を特定する情報であって、例えば、制作者の氏名、経歴、顔写真などが含まれる。これらの情報は、Ｗｅｂサイト上に設けられた入力欄を介して、制作者用端末２から直接入力させてもよく、また、例えば、制作者情報データベース１２１に予め各データが蓄積されている場合には、制作者識別子を取得して自動で抽出してもよい。
【００４８】
また、制作希望者公募部１１１は、制作条件である目標集金額の入力を受け付ける入力欄が含まれる画面を制作者用端末２の画面上に表示させて、制作者用端末２からの操作信号に応じて、その金額情報を取得する。そして、制作希望者公募部１１１は、案件識別子に基づいて、案件情報データベース１２４内の上層のテーブルに、制作者識別子を登録するとともに、下層のテーブルに制作条件を登録する。なお、複数の制作者から申込があった場合には、各制作者からの申込を受け付けて、制作者毎の下層テーブルを形成する。
【００４９】
さらに、制御部１０は、出資者の入札に関するモジュール群として、制作側情報提示部１０９と、入札受付部１０４と、判定部１０５とを備えてる。
【００５０】
制作側情報提示部１０９は、取得した制作条件を、制作希望者に関する情報とともに制作側情報としてインターネット５を通じて、出資希望者に対して提示するモジュールである。具体的には、図１０に示すように、オークション用のＷｅｂページを提示する。このＷｅｂページには、制作側情報として、所定枠内に案件情報２３３、及び関連する画像２３２が表示されるとともに、制作希望者に関する情報２４０ａ〜２４０ｃが表示される。図１０では、３名の制作者の情報が表示されており、ここには、氏名、経歴等の基本情報２４２、顔写真２４１の他、制作条件である目標集金額２４６が表示される。さらに、本実施形態において、Ｗｅｂサイト上には、各出資希望者から入力された全入札額（制作条件として設定した目標集金額に対する割合を示したパラメータ図形も含む）２４３、終了期限２４４、入札した出資者の人数を示す支援数２４５等が表示されるようになっている。
【００５１】
入札受付部１０４は、任意の制作側情報を、出資希望者に選択させ、選択された制作希望者に対する出資条件を入力させるモジュールである。具体的には、ユーザー操作によって、図１０に示す画面上に表示された各制作者の画像領域２４０ａ〜２４０ｃのいずれかを選択操作されることで、その選択信号が入札受付部１０４に入力され、出資希望者が出資を希望する制作者の選択を特定する。さらに、制作者の選択を受け付けた後には、出資条件の入力を受け付ける。この際、入札受付部１０４は、例えば、金額入力欄が表示されたＷｅｂページを表示させて出資者用端末３からの入力を受け付ける。
【００５２】
この入札の受け付けとしては、例えば、Ｗｅｂページ上に、目標集金額２４６及び現在の出資額である全入札額２４３を表示させるとともに、各制作者に対応付けられた金額記入欄を表示させて、テンキー等で金額を受け付けてもよく、プルダウンメニューから所定の金額を選択させるようにしてもよい。この際、入札受付部１０４は、最小入札単位を例えば、１０００円に設定するなど、案件に応じて任意に設定することもできる。そして、入札受付部１０４は、出資者を特定する出資者識別子と、入力された金額情報とは、案件情報データベース１２４内の該当する案件であって、該当する制作者のテーブルに記憶される。
【００５３】
判定部１０５は、入札受付部１０４により取得された出資条件を集計し、その集計結果と制作条件との一致度を判定するモジュールである。具体的に、判定部１０５は、先ず、入札受付部１０４で取得した案件識別子に基づいて案件情報データベース１２４を参照して、案件を特定し、さらに取得した制作者識別子に基づいて案件情報データベース１２４を参照して、選択された制作希望者を特定する。その後、判定部１０５は、案件情報データベース１２４内の下層のテーブルを参照して、出資条件欄に入力された金額を集計して集計結果を算出し、その集計結果と、制作条件欄に記録された集計目標額とを比較する。
【００５４】
そして、判定部１０５は、この集計された集計結果の金額と、制作条件である集計目標額との一致度を判定し、出資条件と集計結果とが一致となった、又は集計結果が高くなった時点で、入札受付部１０４による出資条件の入力を終了させる。一方、集計結果が出資条件よりも低い場合には、Ｗｅｂページ上の情報を、案件情報データベース１２４に蓄積された最新の入札数、及び入札総金額となるように、通信部１３を介して更新処理して、次の入札処理まで待機する。
【００５５】
なお、判定部１０５又は入札受付部１０４では、出資条件と集計結果とが一致となる前に、オークション実施期限が経過した場合には、出資条件の入力を終了させる。出資条件入力の終了処理としては、通信部１３を介して、図１０に示すように、コンテンツを制作する制作者欄に「決定」を表示させるとともに、オークションのＷｅｂページの終了期限２４４部分を「終了」と表示させる。そして、以後、出資者用端末３からの選択、入札操作信号を受け付けないように入札受付部１０４を制御する。なお、この処理は、入札受付部１０４において実行してもよい。
【００５６】
また、制御部１０は、コンテンツの公開処理に関するモジュール群として、高閲部１０６と、公開管理部１０８と、掲載媒体決定部１０７とを備えている。
【００５７】
高閲部１０６は、判定部１０５により一致が認められた案件について、完成されたコンテンツを取得するとともに、この完成されたコンテンツの内容をチェックし、チェック結果に応じて、当該コンテンツを加工又は修正するモジュールであり、チェックした後のコンテンツを公開管理部１０８又は掲載媒体決定部１０７に送出する。
【００５８】
ここで、「コンテンツの内容のチェック」とは、字句や内容、体裁等の誤りを調べることの他、コンテンツ内容に応じたチェックが行われる。本実施形態では、記事に対して、（１）関係者の一方のみからの内容でなく、中立的な内容となっているか否か、（２）制作希望者自身が裏取りをした客観的事実となっているか否か、（３）事実と意見とを明確に分離して、その案件のテーマとターゲットの事実のみを記載しているか否か、（４）公序良俗に違反していないか、（５）他の著作物を利用していないか否かなどが含まれる。
【００５９】
公開管理部１０８は、高閲部１０６によってチェック及び修正等がされて完成されたコンテンツを、一定の期間経過後にインターネット５を通じて公開するモジュールである。本実施形態において、公開管理部１０８における公開は、例えば、Ｗｅｂサイト上に掲載してもよく、また、例えば、作成したコンテンツを動画形式に変換して、管理サーバー１が独自に構築した動画共有サイトに投稿して出資者又は一般ユーザーに対して閲覧可能としてもよい。なお、この際、公開管理部１０８は、コンテンツ視聴に対して、アクセス権限を持たせ、出資者のみに閲覧可能に制御するようになっている。
【００６０】
掲載媒体決定部１０７は、完成されたコンテンツを掲載希望者である報道機関に対して提示するとともに、当該完成されたコンテンツに対する評価を報道機関から取得し、最も高い評価をした掲載希望者を決定するモジュールである。具体的に、掲載媒体決定部１０７は、通信部１３を制御して、図１１に示すような各記事の表示情報２５０を生成させる。この表示情報２５０には、記事の写真や画像２５１の他、制作者の顔写真２５２ａ、名前、及び経歴を表示した制作者情報２５２、最低購入金額２５５、コンテンツの一部を試読するアイコン２５４、コンテンツ購入を決定するアイコン２５３が含まれる。
【００６１】
そして、掲載媒体決定部１０７は、ログインされた報道機関サーバー４からコンテンツの一部を試読するアイコン２５４が選択操作された場合には、予め設定したコンテンツの一部を報道機関サーバー４に送信する。一方、コンテンツ購入を決定するアイコン２５３が選択操作された場合には、コンテンツを掲載させる報道機関が決定されて掲載媒体の募集処理は終了する。また、この報道機関サーバー４への提示は、受付期限が設けられており、その期限が過ぎても購入申込がなかった場合には募集を終了するようになっている。
【００６２】
なお、掲載媒体決定部１０７による決定は、公開管理部１０８による公開が実行される前に行われるようになっており、掲載媒体決定部１０７によってコンテンツを掲載させる報道機関が決定された場合には、その報道機関によって公開された後、公開管理部１０８による公開が実行されるようになっている。
【００６３】
決済処理部１０３は、出資者及び報道機関に対して入札又は購入時の代金の徴収したり、落札された制作者に対して集金を送金するなどの決済処理を行うモジュールであり、案件情報データベース１２４に記憶された、各出資者の入札額、制作者の集金額、報道機関の購入額を参照して、インターネット５上の決済サーバー６との通信により、決済手続を実行する。なお、この決済処理部１０３による決済処理の結果は、制作者情報データベース１２１、出資者情報データベース１２２又は報道機関情報データベース１２５内の利用情報に反映される。また、決済処理部１０３は、例えば、案件毎にオークション管理費の徴収を行ったり、Ｗｅｂサイト上、又は公開管理部１０８において独自に構築した動画共有サイト上で広告掲載を行った場合には、広告を掲載した会社から広告料を徴収したりする機能も備えている。
【００６４】
通信部１３は、具体的には、Ｗｅｂサーバー等のサーバー装置であり、ＷＷＷ（Ｗｏｒｌｄ  Ｗｉｄｅ  Ｗｅｂ）等のドキュメントシステムにおいて、ＨＴＭＬ（ＨｙｐｅｒＴｅｘｔ  Ｍａｒｋｕｐ  Ｌａｎｇｕａｇｅ）ファイルや画像ファイル、音楽ファイルなどの情報送信を行うサーバーコンピュータ或いはその機能を持ったソフトウェアであり、ＨＴＭＬ文書や画像などの情報を蓄積しておき、Ｗｅｂブラウザなどのクライアントソフトウェアの要求に応じて、インターネット５などのＩＰ網を通じて、これらの情報を送信する。この通信部１３は、情報通信部１３１と、操作信号取得部１３２とを備えている。
【００６５】
操作信号取得部１３２は、例えばＨＴＴＰ等のプロトコルにより、インターネット５を通じて、各ユーザー（制作者、出資者、報道機関）に対してデータの送受信を行い、ユーザーの操作信号を取得するモジュールであり、例えば、制作者に関する情報の入力を受け付けたり、出資者からの入札を受け付けたりする。
【００６６】
なお、操作信号取得部１３２では、案件毎に対して企画した内容の評価や、コンテンツを制作した制作者の評価を出資者又は報道機関から掲載された媒体を閲覧した一般読者等から受け付ける機能も備えており、これらの評価は、案件毎、又は制作者毎に集計されるとともに平均化されて、例えば、５段階評価でＷｅｂサイト上に表示可能である。例えば、図１０に示した制作希望者の情報欄に５段階評価の星アイコンを表示させることもできる。
【００６７】
情報通信部１３１は、各データベース１２１〜１２５に蓄積された各情報を、インターネット５を通じて、ウェブサイト上に表示する機能を有し、この情報通信部１３１も、案件提示部、制作希望者公募部、制作側情報提示部としての機能を果たす。また、情報通信部１３１は、定期的又はリアルタイムに案件情報データベース１２４をチェックして、制作希望者に対して入札された、入札数及び入札額の合算を行い、Ｗｅｂ上に表示する機能を備えている。
【００６８】
（プラットフォームの制御方法）
以上の構成を有するコンテンツ制作プラットフォームシステムによるプラットフォームの制御方法は、以下の手順で行われる。図５は、本実施形態に係るプラットフォームの制御方法における概要を示す説明図であり、図６は、ステップＳ１００の動作を示すフローチャート図であり、図７は、ステップＳ２００の動作を示すであり、図８は、ステップＳ３００〜Ｓ６００の動作を示すフローチャート図である。なお、ここでは、制作者、出資者、及び報道機関は、管理サーバー１に対して予め会員登録処理を行っており、記憶部１２の各データベースには、それぞれの識別子に各情報が関連付けて記憶されているものとする。また、以下の説明において、各装置から管理サーバー１へのアクセスに対しては、認証部１０１によって認証処理が実行されており、承認されているものとする。
【００６９】
先ず、プラットフォームの制御方法の概要について説明する。このプラットフォームの制御方法は、図５に示すように、先ず、管理サーバー１は、制作すべきコンテンツの企画に関する情報を、案件情報として制作希望者に対して提示（提案）する案件提示ステップが行われる（Ｓ１００）。
【００７０】
次いで、制作希望者に関する情報の入力と、制作条件の入力を受け付ける制作希望者公募ステップが行われるとともに、Ｗｅｂサイト上に制作希望者の制作条件を含む制作側情報が掲載される制作側情報提示ステップが行われる。その後、出資希望者から制作希望者に対する出資条件の入力を受け付ける入札受付ステップが行われ、制作者を決定する判定ステップが行われる（Ｓ２００）。
【００７１】
制作者が取材及びコンテンツを作成した後（Ｓ３００）、そのコンテンツを管理サーバー１が取得すると、コンテンツをチェックする高閲ステップが行われ、公開の許可を出した後は、報道機関に対して掲載希望者に対して提示して掲載希望者を募集し、掲載希望の報道機関を決定する掲載媒体決定ステップが行われる（Ｓ５００）。その後、所定の報道機関がコンテンツを購入すると、先ず報道機関においてコンテンツが公開され、その後一定期間後に管理サーバー１が管理するＷｅｂサイト又は動画共有サービスにおいて出資者に対して公開される（Ｓ６００）。
【００７２】
次いで、図６〜図９を参照して、上述した各ステップの動作について詳細に説明する。先ず、プラットフォーム上に設置された案件提示部１１０は、図６に示すように、案件企画者（出資者）から制作すべきコンテンツの企画を受け付け、制作されるコンテンツの案件を決定するとともに（Ｓ１０１）、その案件コンテンツの種類、概要、制作期間、制約事項（文字数、時間など）等の案件情報の入力を受け付けて案件の内容を決定する（Ｓ１０２）。この案件情報は、案件情報データベース１２４内に案件識別子に関連付けて記憶される。
【００７３】
その後、プラットフォーム上に設置された案件提示部１１０は、インターネット５を通じて、図９に示すようにＷｅｂサイトに表示させて、案件情報を制作希望者に対して提示する（Ｓ１０３）。次に、図７に示すように、プラットフォーム上に設置された制作希望者公募部１１１は、インターネット５を通じて、制作希望者の端末３から、任意の案件の選択、及び制作条件の入力を受け付ける（Ｓ２０１）。この際、制作希望者公募部１１１は、制作希望者を特定するための制作希望者に関する情報の入力を受け付けてもよい。制作希望者公募部１１１は、入力された各情報を、案件情報データベース１２４に蓄積する。
【００７４】
さらに、プラットフォーム上に設置された制作側情報提示部１０９は、図１０に示すように、インターネット５を通じて、制作側情報（制作希望者に関する情報、及び制作条件）を出資希望者の端末３に対して提示する（Ｓ２０２）。これにより、案件に対するオークションが開示される。この際、判定部１０５では、定期的又はリアルタイムに実施期間が終了しているか否かを判断する（Ｓ２０３）。ここで、実施期間が終了している場合には（Ｓ２０３における“Ｙ”）、オークション処理を終了する処理を行うとともに（Ｓ２０４）、通信部１３を介してＷｅｂサイトの表示を変更する（Ｓ２１１）。
【００７５】
一方、実施期間が満了前である場合には（Ｓ２０３における“Ｎ”）、プラットフォーム上に設置された入札受付部１０４において、任意の制作側情報を、出資希望者に選択させ、さらに制作希望者に対する出資条件の入力を受け付ける。具体的には、入札された操作信号を取得するまで待機し、出資者用端末３から制作者を選択及び入札の操作が行われた場合には（Ｓ２０５における“Ｙ”）、選択された制作者の識別子を取得して制作者を特定するとともに、出資者用端末３から出資条件である出資金の情報を取得する（Ｓ２０６）。
【００７６】
その後、判定部１０５は、入力された出資金額と、現在までに累積された出資金額とを集計し（Ｓ２０７）、その集計結果と制作条件である目標集金額との一致度を判定する（Ｓ２０９）。ここで、出資条件と集計結果とが一致しない場合には（Ｓ２０９における“Ｎ”）、オークション処理を終了せずに、通信部１３を介して、Ｗｅｂサイトの「入札数」及び「累計入札額」とを変更する処理を行い（Ｓ２０８）、以下、オークション処理を終了する判断があるまで繰り返し処理を行う（Ｓ２０３〜Ｓ２０９）。
【００７７】
一方、出資条件と集計結果とが一致した場合（Ｓ２０９における“Ｙ”）、その時点でオークション処理を終了する（Ｓ２１０）。この際、判定部１０５は、通信部１３を介して、Ｗｅｂサイトにおける表示を変更するとともに（Ｓ２１１）、出資条件の入力受付を終了させる。
【００７８】
次いで、決済処理部１０３によって、出資者から入札額を徴収するとともに、制作者に対して集金された金額を送金する。そして、制作者は、判定部１０５により一致が認められた案件について、取材及びコンテンツの制作を行うこととなる。制作者がコンテンツを制作した場合は、制作者用端末２を用いて、管理サーバー１にコンテンツが送信する。
【００７９】
管理サーバー１において、図８に示すように、完成されたコンテンツを取得すると（Ｓ３０１）、先ず、高閲部１０６においてコンテンツの内容をチェックする（Ｓ３０２）。各種のチェック処理を実行し、そのチェック結果に応じて、当該コンテンツを加工又は修正して完成されたコンテンツを生成し、その後、公開管理部１０８又は掲載媒体決定部１０７に送出する。
【００８０】
その後、掲載媒体決定部１０７では、図１１に示すように、プラットフォーム上において、完成されたコンテンツを、購入希望金額とともに掲載希望者に対して提示する（Ｓ３０３）。この際、報道機関への提示には提示期間を設けており、掲載媒体決定部１０７は、先ず、提示期間を経過したか否かを定期的又はリアルタイムに判断している（Ｓ３０４）。
【００８１】
提示期間を経過している場合には（Ｓ３０４における“Ｙ”）、報道機関への提示を終了して、その後、公開管理部１０８によって出資者に対してコンテンツを公開する（Ｓ３０７）。ここでは、コンテンツを動画形式に変換して、動画共有サイトに投稿するものとする。この際、出資者用端末３でのみコンテンツが閲覧可能となるようにアクセス制限を行ってもよい。
【００８２】
一方、提示期間を経過前である場合には（Ｓ３０４における“Ｎ”）、報道機関サーバー４から購入希望となる操作信号を受け取るまで待機し（Ｓ３０５）、購入希望の操作信号を受け取ると（Ｓ３０５における“Ｙ”）、掲載する報道機関を決定する。本実施形態では、購入希望金額を画面上に表示させて、先着で販売するようになっている。
【００８３】
そして、決済処理部１０３で報道機関から入金があった後、報道機関の媒体にコンテンツが掲載される（Ｓ３０６）。そして、報道機関の媒体に掲載された一定の期間経過後に公開管理部１０８において出資者に対してコンテンツを公開する（Ｓ３０７）。
【００８４】
（作用・効果）
このような実施形態によれば、コンテンツの制作を希望する制作希望者を公募するとともに、その制作希望者が制作するコンテンツに対し、出資希望者を募っているので、コンテンツを制作したい側とコンテンツを視聴したい側との間を仲介することができる。
【００８５】
そして、この際、本実施形態では、制作希望者に対して、案件情報に対する制作条件を入力させるとともに、出資希望者から入力された出資条件の集計結果と制作条件との一致度を判定し、一致した場合に出資条件の入力を終了させる、すなわち落札したと判断するようになっているので、制作希望者にとっては、コンテンツを制作するための十分な費用を得ることができるとともに、制作されたコンテンツに対する対価を得ることができため、コンテンツを制作する制作者を支援することができる。また、出資希望者にとっては、興味ある内容を自分が投資したい任意の額だけ支払って視聴することができる。
【００８６】
また、本実施形態では、完成されたコンテンツを報道機関に対して提示するとともに、掲載媒体決定部１０７による決定及び掲載は、公開管理部１０８による公開が実行される前に行われているので、制作者側にとっては、制作したコンテンツの評価を受けて、制作したコンテンツに対する対価をさらに得ることができる。また、報道機関にとっては、価値のあるコンテンツを先行及び独占して掲載することができる。
【００８７】
さらに、本実施形態では、判定部１０５により一致が認められた案件について、完成されたコンテンツを取得するとともに、この完成されたコンテンツの内容をチェックし、チェック結果に応じて、当該コンテンツを加工又は修正する高閲部１０６を有しているので、コンテンツとして不適切な表現などを排除させることができ、安全にコンテンツを視聴させることができる。
【００８８】
（変更例）
なお、上述した各実施形態の説明は、本発明の一例である。このため、本発明は上述した実施形態に限定されることなく、本発明に係る技術的思想を逸脱しない範囲であれば、設計等に応じて種々の変更が可能であることはもちろんである。
【００８９】
例えば、上述した実施形態において、報道機関サーバー４への提示は、購入希望金額を設定し、先着順に販売したが、本発明は、これに限定するものではなく、例えば、購入希望金額を設定せず、報道機関からコンテンツに対する評価を取得して、公開管理部１０８による公開が実行される前に、最も高い評価をした報道機関に対して掲載を決定するオークション形式としてもよい。この場合には、募集期限を設けるとともに、図示しない評価額を入力する画面を表示させて、各報道機関から評価額を取得する。そして、一定期間経過した時点において、最も高い評価をした報道機関を決定し、その報道機関に対してのみコンテンツを提供する。
【００９０】
このような変形例によれば、制作されたコンテンツに対する評価を、報道機関からオークション形式で受け付けるので、真に価値のあるコンテンツに対して、より相当な評価又は対価を得ることができる。
【符号の説明】
【００９１】
１…管理サーバー
２…制作者用端末
３…出資者用端末
４…報道機関サーバー
５…インターネット
６…決済サーバー
１０…制御部
１２…記憶部
１３…通信部
２１…通信インターフェース
２２…アプリケーション実行部
２２ａ…ブラウザ部
２３…出力インターフェース
２３ａ…表示部
２４…入力インターフェース
１０１…認証部
１０２…会員登録部
１０３…決済処理部
１０４…入札受付部
１０５…判定部
１０６…高閲部
１０７…掲載媒体決定部
１０８…公開管理部
１０９…制作側情報提示部
１１０…案件提示部
１１１…制作希望者公募部
１２１…制作者情報データベース
１２２…出資者情報データベース
１２３…コンテンツデータベース
１２４…案件情報データベース
１２５…報道機関情報データベース
１３１…情報通信部
１３２…操作信号取得部
【図１】
2015032197.tif 000008
【図２】
2015032197.tif 000009
【図３】
2015032197.tif 000010
【図４】
2015032197.tif 000011
【図５】
2015032197.tif 000012
【図６】
2015032197.tif 000013
【図７】
2015032197.tif 000014
【図８】
2015032197.tif 000015
【図９】
2015032197.tif 000016
【図１０】
2015032197.tif 000017
【図１１】
2015032197.tif 000018